(57)【特許請求の範囲】
【請求項１】
排水管の通水試験システムであって、
前記排水管の上流側から投入され、当該排水管の下流側で回収される試験体であって、当該試験体を識別する情報を含む試験体情報を有する試験体の記憶部と、前記試験体情報を含む電波を発信する試験体の通信部と、を含む試験体と、
前記電波を検知する携帯端末であって、前記試験体の通信部から発信した電波を検知する携帯端末の通信部と、前記携帯端末の通信部で検知した電波に基づいて試験体を識別すると共に電波の強度に基づいて特定した前記試験体と当該携帯端末との距離又は当該電波の強度を当該携帯端末の表示部に表示する携帯端末の制御部と、を含む携帯端末と、を備え、
前記携帯端末の制御部は、試験体の投入時から回収時までの所要時間に基づいて排水管の詰まりを判定する、
排水管の通水試験システム。
【請求項２】
前記携帯端末は、携帯端末のスピーカを有し、前記携帯端末の制御部は、特定した試験体の位置に応じて、当該携帯端末のスピーカから音を出力させる、請求項１に記載の排水管の通水試験システム。
【請求項３】
前記試験体は、試験体のスピーカを更に含み、
前記携帯端末の制御部は、試験者の指示に基づいて、前記試験体のスピーカから音を出力させる、請求項１に記載の排水管の通水試験システム。
【請求項４】
前記試験体は、試験体のスピーカを更に含み、
前記携帯端末の制御部は、前記携帯端末の通信部が前記試験体の通信部から発信した電波を検知すると、前記試験体のスピーカから音を出力させる、請求項１に記載の排水管の通水試験システム。
【請求項５】
前記携帯端末の制御部は、前記電波の強度に応じて、前記試験体のスピーカから出力する音を変更する、請求項３又は４に記載の排水管の通水試験システム。
【請求項６】
前記携帯端末の通信部は、前記試験体が投入された際の投入時の電波及び回収された際
の回収時の電波を検知し、
前記携帯端末の制御部は、前記投入時の電波を検知した際の投入時間、前記回収時の電波を検知した際の回収時間を記憶部に記憶し、当該投入時間と当該回収時間から投入から回収までの所要時間を算出し、算出した所要時間と既定の所要時間とを比較し、排水管の詰まりを判定する、請求項１に記載の排水管の通水試験システム。
【請求項７】
前記携帯端末の制御部は、携帯端末の通信部で検知した電波に基づいて試験体を識別すると共に電波強度に基づいて試験体を特定し、電波強度が強い試験体から順に携帯端末の表示部に表示する、請求項１に記載の排水管の通水試験システム。
【請求項８】
排水管の通水試験システムを用いた排水管の通水試験方法であって、
前記通水試験システムは、前記排水管の上流側から投入され、当該排水管の下流側で回収される試験体であって、当該試験体を識別する情報を含む試験体情報を有する試験体の記憶部と、前記試験体情報を含む電波を発信する試験体の通信部と、を含む試験体と、
前記電波を検知する携帯端末であって、前記試験体の通信部から発信した電波を検知する携帯端末の通信部と、前記携帯端末の通信部で検知した電波に基づいて試験体を識別すると共に電波の強度に基づいて特定した前記試験体と当該携帯端末との距離又は当該電波の強度を当該携帯端末の表示部に表示する携帯端末の制御部と、を含む携帯端末と、を備え、
前記携帯端末の制御部は、試験体の投入時から回収時までの所要時間に基づいて排水管の詰まりを判定し、
当該排水管の通水試験方法は、
前記排水管の上流側から、前記試験体を前記排水管に投入する試験体の投入工程と、
前記排水管の下流側で試験体を回収する試験体の回収工程と、
前記試験体の回収後、前記携帯端末を用いて前記排水管に詰まりが有るか否かを判定する排水管の通水判定工程と、
前記配水管に詰まりが有ると判定された場合、前記携帯端末を用いて詰まり箇所を特定する詰まり箇所の特定工程と、を含む、排水管の通水試験方法。
【発明の詳細な説明】
【技術分野】
【０００１】
本発明は、通水試験システム、及び通水試験方法に関する。
【背景技術】
【０００２】
排水管の通水試験に関する技術がある。例えば、特許文献１には、試験体を用いて流路における通水試験を行う方法が開示されている。特許文献１に記載の通水試験方法は、流路下流端の属性を示す系統情報と、前記系統での流下順に試験体毎に所定規則の下で設定される配列情報とをデータキャリアに格納した試験体を、流路上流から流下させる工程と、流路下流端において、前記試験体が備える前記データキャリアに対し、リーダライタによる読取り処理を実行し、当該データキャリアの格納情報を取得する工程と、各試験体のデータキャリアから取得した格納情報に基づき、同一系統を流下すべき試験体群の配列情報に前記所定規則との相違が生じているか否かを検知することで、前記系統の健全性を判定する工程と、を含む。
【先行技術文献】
【特許文献】
【０００３】
【特許文献１】特許第４８８７６４２号公報
【発明の概要】
【発明が解決しようとする課題】
【０００４】
排水管の通水検査に関する従来技術では、排水管の健全性（排水管の詰まり）の判断はできるものの、健全性に問題がある場所の特定が難しかった。例えば、上記特許文献１に記載の技術では、排水管内にファイバースコープを挿入する必要がある。また、流路に沿ってリーダライタを設置するか、試験員がリーダライタを携行して巡回することも考えられるが、この場合、床や壁等の内装仕上げを部分的に破壊する必要があり、現実的ではない。
【０００５】
本発明は、上記の問題に鑑み、排水管が詰まる可能性がある場所を容易に特定できる技術を提供することを課題とする。
【課題を解決するための手段】
【０００６】
本発明では、上記課題を解決するため、排水管に流す試験体から発信される電波の強度に基づいて試験体の位置を特定し、携帯端末で確認できるようにした。
【０００７】
詳細には、本発明は、排水管の通水試験システムであって、前記排水管の上流側から投入され、当該排水管の下流側で回収される試験体であって、当該試験体を識別する情報を含む試験体情報を有する試験体の記憶部と、前記試験体情報を含む電波を発信する試験体の通信部と、を含む試験体と、前記電波を検知する携帯端末であって、前記試験体の通信部から発信した電波を検知する携帯端末の通信部と、前記携帯端末の通信部で検知した電波に基づいて試験体を識別すると共に電波の強度に基づいて前記試験体の位置を特定し、当該携帯端末の表示部に表示する携帯端末の制御部と、を含む携帯端末と、を備える。
【０００８】
本発明に係る排水管の通水試験システムでは、試験体から発信される電波を携帯端末で受信することで、携帯端末により、電波に基づいて試験体を識別すると共に電波の強度に基づいて試験体の位置を特定し、特定した試験体の位置を表示部に表示することができる。そのため、排水管が詰まる可能性がある場所や詰まった箇所を容易に特定することができる。
【０００９】
ここで、前記携帯端末は、携帯端末のスピーカを有し、前記携帯端末の制御部は、特定した携帯端末の位置に応じて、当該携帯端末のスピーカから音を出力させるようにしてもよい。これにより、視覚だけでなく、聴覚を通じて、排水管が詰まる可能性がある場所や詰まった箇所を試験者に知らせることができる。なお、携帯端末の制御部は、特定した試験体の位置に応じて、換言すると、電波の強度に応じて、携帯端末のスピーカから音を変更するようにしてもよい。これにより、試験者は、排水管が詰まる可能性がある場所をより容易に特定することができる。音の変更には、音の強弱による変更、音の種類による変更が含まれる。
【００１０】
本発明に係る排水管の通水試験システムは、例えば、建物の排水管の通水試験に好適に用いることができる。但し、これに限定されず、本発明に係る排水管の通水試験システムは、他の排水管（例えば、地中に埋設される共同溝に設置される排水管）の通水試験にも用いることができる。排水管は、垂直方向に延びる垂直管、水平方向に延びる水平管でもよく、また、合流や分岐しているものでもよい。
【００１１】
排水管の上流側は、試験体が回収される位置よりも上流側であればよい。換言すると、排水管の下流側は、試験体が投入される位置よりも下流側であればよい。建物の排水管の場合、試験体が投入される排水管の上流側には、流し台、トイレ、防水パン等が例示される。また、試験体が回収される排水管の下流側には、建物外にある外部枡が例示される。
【００１２】
試験体は、排水管の内部を通過できればよく、大きさや形状は特に限定されない。試験体は、例えば、記憶部及び通信部を有するビーコンが取り付けられた布片とすることができる。また、試験体は、上記ビーコンを含む球体等でもよい。ビーコンは、電波を発信でき、携帯端末と無線通信できるものを広く用いることができる。無線通信の規格は、特に限定されないが、ＢＬＥ（Ｂｌｕｅｔｏｏｔｈ（登録商標）  Ｌｏｗ  Ｅｎｅｒｇｙ）を好適に用いることができる。ＢＬＥとすることで、例えば、従来のＢｌｕｅｔｏｏｔｈ（登録商標）と比較して、到達距離を長くすることができる。
【００１３】
携帯端末は、試験体から発進された電波を検知できるとともに、試験体の位置を表示する表示部を備えるものであればよい。また、特定した試験体の位置に応じて音を出力する場合には、携帯端末は、携帯端末のスピーカを更に備えるものであればよい。例えば、携帯端末には、スマートフォンやタブレットを好適に用いることができる。また、携帯端末は、ＧＰＳ（Ｇｌｏｂａｌ  Ｐｏｓｉｔｉｏｎｉｎｇ  Ｓｙｓｔｅｍ）受信部を備えるものでもよい。これにより、携帯端末の位置情報の取得が可能となり、取得した携帯端末の位置情報に基づいて、試験体の位置情報を取得することが可能となる。
【００１４】
ここで、前記試験体は、試験体のスピーカを更に含み、前記携帯端末の制御部は、試験者の指示に基づいて、前記試験体のスピーカから音を出力させるようにしてもよい。これにより、携帯端末の表示部に表示される位置に加えて、試験体が出力される音により、試験体の位置を特定することができる。そのため、排水管が詰まる可能性がある場所をより容易に特定することができる。
【００１５】
また、前記試験体は、試験体のスピーカを更に含み、前記携帯端末の制御部は、前記携帯端末の通信部が前記試験体の通信部から発信した電波を検知すると、前記試験体のスピーカから音を出力させるようにしてもよい。これにより、試験者の指示が不要となる。
【００１６】
また、前記携帯端末の制御部は、前記電波の強度に応じて、前記試験体のスピーカから出力する音を変更するようにしてもよい。これにより、試験者は、音の違いにより、試験体の位置を特定することが可能となる。そのため、排水管が詰まる可能性がある場所をよ
り容易に特定することができる。音の変更には、音の強弱による変更、音の種類による変更が含まれる。
【００１７】
また、前記通信部は、前記試験体が投入された際の投入時の電波及び回収された際の回収時の電波を検知し、前記携帯端末の制御部は、前記投入時の電波を検知した際の投入時間、前記回収時の電波を検知した際の回収時間を記憶部に記憶し、当該投入時間と当該回収時間から投入から回収までの所要時間を算出し、算出した所要時間と既定の所要時間とを比較し、排水管の詰まりを判定するようにしてもよい。
【００１８】
既定の所要時間は、排水管の径、長さ、試験体の大きさや種類等に基づいて既定することができる。例えば、算出した所要時間が、既定の所要時間を上回った場合には、排水管に詰まりがあると、判定することができる。また、算出した所要時間が、既定の所要時間以下の場合には、排水管に詰まりはない、と判定することができる。
【００１９】
ここで、本発明は、排水管の通水試験システムを用いた排水管の通水試験方法として特定することができる。例えば、本発明は、排水管の通水試験システムを用いた排水管の通水試験方法であって、前記通水試験システムは、前記排水管の上流側から投入され、当該排水管の下流側で回収される試験体であって、当該試験体を識別する情報を含む試験体情報を有する試験体の記憶部と、前記試験体情報を含む電波を発信する試験体の通信部と、を含む試験体と、前記電波を検知する携帯端末であって、前記試験体の通信部から発信した電波を検知する携帯端末の通信部と、前記携帯端末の通信部で検知した電波に基づいて試験体を識別すると共に電波の強度に基づいて前記試験体の位置を特定し、当該携帯端末の表示部に表示する携帯端末の制御部と、を含む携帯端末と、を備え、当該排水管の通水試験方法は、前記排水管の上流側から、前記試験体を前記排水管に投入する試験体の投入工程と、前記排水管の下流側で試験体を回収する試験体の回収工程と、前記試験体の回収後、前記携帯端末を用いて前記排水管に詰まりが有るか否かを判定する排水管の通水判定工程と、前記配水管に詰まりが有ると判定された場合、前記携帯端末を用いて詰まり箇所を特定する詰まり箇所の特定工程と、を含む。
【００２０】
本発明に係る排水管の通水試験方法によれば、試験体の投入工程、試験体の回収工程、排水管の通水判定工程、詰まり箇所の特定工程を経ることで、携帯端末により、試験体の位置の特定を容易に行うことができる。
【００２１】
なお、本発明は、上記に加えて、携帯端末で実行される方法や、携帯端末で実行されるプログラムとして特定してもよい。また、本発明は、そのようなプログラムが記録された記録媒体として特定してもよい。
【発明の効果】
【００２２】
本発明によれば、排水管が詰まる可能性がある場所を容易に特定できる技術を提供することができる。
【図面の簡単な説明】
【００２３】
【図１】図１は、第１実施形態に係る排水管の通水試験を説明する図を示す。
【図２】図２は、第１実施形態に係る排水管の通水試験システムを示す。
【図３】図３は、第１実施形態に係る試験体の送受信機の構成を示す。
【図４】図４は、第１実施形態に係る携帯端末の構成を示す。
【図５】図５は、第１実施形態に係る管理端末の構成を示す。
【図６】図６は、第１実施形態に係る排水管の通水試験方法のフローを示す。
【図７】図７は、第１実施形態に係る携帯端末のメモリに記憶されたテーブルの一例を示す。
【図８】図８は、第１実施形態に係る携帯端末の表示部に表示される試験体を特定する画面の一例を示す。
【図９】図９は、第１実施形態に係る携帯端末の表示部に表示される試験体から音を出力させる画面の一例を示す。
【図１０】図１０は、第２実施形態に係る携帯端末の表示部に表示される設定画面の一例を示す。
【図１１】図１１は、第２実施形態に係る管理端末で管理される管理テーブルの一例を示す。
【図１２】図１２は、第２実施形態に係る携帯端末の表示部に表示される投入画面の一例を示す。
【図１３】図１３は、第２実施形態に係る携帯端末の表示部に表示される回収画面の一例を示す。
【図１４】図１４は、第２実施形態に係る携帯端末の表示部に表示される検知リスト画面の一例を示す。
【図１５】図１５は、第２実施形態に係る携帯端末の表示部に表示される試験体を特定する画面（レーダー画面）の一例を示す。
【発明を実施するための形態】
【００２４】
次に、本発明の実施形態について図面に基づいて説明する。以下の実施形態では、一例として、建物の排水管の通水試験を行う場合を例に説明する。以下の説明は例示であり、本発明は以下の内容に限定されるものではない。
【００２５】
＜排水管の通水試験の概要＞
図１は、第１実施形態に係る排水管の通水試験を説明する図を示す。図２は、第１実施形態に係る排水管の通水試験システムを示す。図１、図２に示すように、第１実施形態に係る排水管の通水試験システム１（以下、単に通水試験システム１ともいう）は、試験体２、携帯端末３、管理端末４を備える。第１実施形態に係る通水試験システム１は、建物５の通水試験に用いられる。建物５は、複数階からなる集合住宅であり、垂直方向に延び、各階を通る雑排水立本管６１と、雑排水立本管６１に接続され、各階の水平方向に延びる各階の雑排水の横引管６２と、雑排水立本管６１の下部に接続され、外部枡７１に連通する横引本管６３とを含む。各階の雑排水の横引管６２は、分岐しており、流し台８１、防水パン（図示せず）等に接続されている。また、建物５は、垂直方向に延び、各階を通る汚水立本管６４と、汚水立本管６４に接続され、各階のトイレ８２に接続される汚水の横引管６５と、を備える。汚水立本管６４の下部には、外部枡７１に接続される横引本管６３が接続されている。流し台８１、トイレ８２は、特に区別する必要が無い場合には、投入口８と称する。外部枡７１は、回収口７と称する。雑排水立本管６１、雑排水の横引管６２、横引本管６３、汚水立本管６４、汚水の横引管６５は、特に区別する必要が無い場合には、排水管６と称する。
【００２６】
投入口８から試験体２が投入され、回収口７で試験体２が回収される。投入口８で試験体２が投入されてから回収口７で試験体２が回収されるまでの所要時間が携帯端末３で算出され、既定の所要時間と比較されることで、排水管６の詰まりの有無が判定される。また、例えば、排水管６に詰まりが有ると判定された場合、携帯端末３では、試験体２から発信された電波の強度に基づいて試験体２の位置が特定され、特定された位置が携帯端末３に表示される。また、携帯端末３を操作することで、試験体２から音が出力される。試験者は、携帯端末３に表示される試験体２の位置と、試験体２から出力される音により、試験体２の位置を特定することができる。以下、詳細に説明する。
【００２７】
＜排水管の通水試験システム＞
第１実施形態に係る通水試験システム１は、試験体２、携帯端末３、管理端末４を備え
る。携帯端末３と管理端末４は、ネットワークＮを介して接続されている。ネットワークＮには、電話回線網を利用したインターネットが例示されるが、ネットワークＮは、携帯端末３と管理端末４とを電気的に接続し、通信可能とできるものであれば良くその態様は特に限定されない。複数の携帯端末３を用いることで、より効率よく排水管の通水試験を行うことができるが、１台の携帯端末３により排水管の通水試験を行うようにしてもよい。また、携帯端末３同士を直接接続することで管理端末４を省略し、通水試験システム１は、より簡易な構成としてもよい。
【００２８】
図３は、第１実施形態に係る試験体２の送受信機２１の構成を示す。送受信機２１は、布片に取り付けられ、例えば、ＢＬＥ（Ｂｌｕｅｔｏｏｔｈ  Ｌｏｗ  Ｅｎｅｒｇｙ）により電波（ビーコン信号）を送信するビーコンによって構成することができる。送受信機２１は、樹脂製の筐体で覆われており、排水管６に流せるよう防水加工が施されている。送受信機２１は、防水テープで被覆して、防水加工を施してもよい。送受信機２１は、送受信機の制御部２２、送受信機の通信部２５、送受信機の電源部２６、送受信機のスピーカ２７を有する。送受信機の制御部２２は、送受信機のＣＰＵ（Ｃｅｎｔｒａｌ  Ｐｒｏｃｅｓｓｉｎｇ  Ｕｎｉｔ）２３、送受信機のメモリ２４を含み、送受信機２１を制御する。例えば、送受信機の制御部２２は、送受信機のメモリ２４に登録されたプログラムに従って、送受信機のスピーカ２７から音を出力する。送受信機のメモリ２４は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の記憶媒体によって構成されている。送受信機のメモリ２４には、送受信機の制御プログラム、送受信機の識別情報等のデータが記憶されている。送受信機の電源部２６は、送受信機２１に電源を供給する。送受信機の電源部２６は、例えばボタン電池によって構成することができる。なお、携帯端末３との通信可能範囲は小さくなるものの、送受信機２１は、Ｂｌｕｅｔｏｏｔｈや他の無線通信規格により携帯端末３と通信するものでもよい。
【００２９】
図４は、第１実施形態に係る携帯端末の構成を示す。携帯端末３は、例えば、ネットワークＮへ接続可能な、スマートフォン、タブレットによって構成することができる。携帯端末３は、携帯端末の制御部３１、携帯端末の表示部３４、携帯端末の操作部３５、携帯端末の記憶部３６、携帯端末の通信部３７、携帯端末のスピーカ３８を備える。携帯端末の制御部３１は、携帯端末機のＣＰＵ３２、携帯端末のメモリ３３を含み、携帯端末のメモリ３３に登録されたプログラムに従って、携帯端末３を制御する。例えば、携帯端末の制御部３１は、送受信機２１から送信された電波を携帯端末の通信部３７が検知すると、検知した電波に基づいて試験体２を識別すると共に電波の強度に基づいて試験体２の位置を特定し、携帯端末の表示部３４に表示する。携帯端末の制御部３１は、特定された試験体２の位置に応じて、携帯端末のスピーカ３８から音を出力させてもよい。また、携帯端末の制御部３１は、試験者によって、試験体２から音を出力させるための指示を携帯端末の操作部３５を介して受け付け、送受信機のスピーカ２７から音を出力させるための信号を携帯端末の通信部３７を介して送信する。携帯端末のメモリ３３は、ＲＯＭ、ＲＡＭ等の記憶媒体によって構成されている。携帯端末のメモリ３３には、携帯端末の制御プログラム、携帯端末の識別情報等のデータが記憶されている。
【００３０】
携帯端末の表示部３４は、ディスプレイやタッチパネルによって構成され、例えば、試験体２の位置を表示する。携帯端末の操作部３５は、操作ボタンやタッチパネルによって構成され、例えば、試験者の指示を受け付ける。携帯端末の記憶部３６は、例えばＲＡＭによって構成され、試験体２の識別情報や、試験体２の投入時間、試験体の回収時間、試験体２の所要時間、既定の所要時間等を記憶する。携帯端末の通信部３７は、ＢＬＥに対応しており、試験体２から送信される電波を検知する。なお、送受信機２１が、Ｂｌｕｅｔｏｏｔｈや他の無線通信規格により携帯端末３と通信する場合、携帯端末の通信部３７は、Ｂｌｕｅｔｏｏｔｈや他の無線通信規格に対応する。
【００３１】
管理端末４は、汎用のコンピュータによって構成することができ、管理端末４は、管理端末の制御部４１、管理端末の表示部４４、管理端末の操作部４５、管理端末の通信部４７、管理端末の記憶部４８を備える。管理端末の制御部４１は、管理端末機のＣＰＵ４２、管理端末のメモリ４３を含み、管理端末のメモリ４３に登録されたプログラムに従って、管理端末４を制御する。例えば、管理端末の制御部４１は、携帯端末３から送信されたデータ（試験体２の識別情報、試験体２の投入時間、試験体の回収時間、試験体２の所要時間、既定の所要時間等）を管理端末のメモリ４３に記憶させ管理する。管理端末のメモリ４３は、ＲＯＭ、ＲＡＭ等の記憶媒体によって構成されている。管理端末のメモリ４３には、管理端末の制御プログラム等のデータが記憶されている。
【００３２】
管理端末の表示部４４は、例えば、液晶表示装置、プラズマディスプレイパネル、ＣＲＴ（Ｃａｔｈｏｄｅ  Ｒａｙ  Ｔｕｂｅ）、エレクトロルミネッセンスパネル等を含む。管理端末の操作部４５は、例えば、キーボード、ポインティングデバイス、タッチパネル、操作ボタン等を含む。管理端末の通信部４７には、例えば、ネットワークＮへの接続を実現する通信モジュール（例えば、ネットワークカード）が例示される。管理端末の記憶部４８には、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）が例示される。
【００３３】
＜通水試験方法＞
次に、排水管６の通水試験方法について説明する。図６は、第１実施形態に係る排水管の通水試験方法のフローを示す。まず、試験体の投入工程（ステップＳ０１）では、排水管６の上流側にある投入口８（例えば、流し台８１）から試験体２が投入される。次に、試験体の回収工程（ステップＳ０２）では、排水管６の下流側にある回収口７（外部枡７１）で試験体２が回収される。次に、排水管の通水判定工程（ステップＳ０３）では、排水管６に詰まりが有るか否かが判定される。排水管６に詰まりが有ると判定された場合、詰まり箇所の特定工程（ステップＳ０４）では、排水管６の詰まり箇所が特定される。一方、排水管６に詰まりが無いと判定された場合、排水管６の通水試験が終了する。
【００３４】
次に、通水試験における通水試験システム１の処理（主に、携帯端末３の処理）について説明する。試験体の投入工程前、試験体の登録処理が行われる。試験体の登録処理では、試験体２の送受信機２１と携帯端末３とがペアリングされ、試験体２の識別情報が携帯端末のメモリ３３に登録される。具体的には試験体２の送受信機２１が電波を発信する状態とされ、携帯端末の通信部３７は、試験体２の一部を構成する送受信機の通信部２５から発信される電波を検知する。電波が検知されると、携帯端末の制御部３１は、電波に含まれる試験体の識別情報を取得し、携帯端末のメモリ３３に記憶する。識別情報には、建物の名称、部屋番号、投入口８の詳細（流し台８１、トイレ８２など）を含めるようにしてもよい。これらの識別情報は、携帯端末の表示部３４に識別情報を入力するための設定画面を表示し、携帯端末の操作部３５を適宜操作することで、携帯端末のメモリ３３に記憶させることができる。
【００３５】
試験体の投入工程では、試験体投入時の試験体の検知処理が行われる。具体的には、投入口８の近傍に位置する携帯端末３により、投入口８から投入された試験体２が検知される。携帯端末の通信部３７は、試験体２の一部を構成する送受信機の通信部２５から発信される電波を検知する。電波が検知されると、携帯端末の制御部３１は、電波に含まれる試験体の識別情報を取得し、識別情報と投入時間とを関連付けて携帯端末のメモリ３３に記憶する。また、携帯端末の制御部３１は、識別情報と投入時間をネットワークＮを介して、他の携帯端末３（回収口７の近傍に位置する携帯端末３、詰まりが有ると判定された際に詰まり箇所の特定に用いる移動自在な携帯端末３）へ送信する。他の携帯端末３は、識別情報と投入時間を受信し、各携帯端末のメモリ３３に記憶する。
【００３６】
試験体の回収工程では、試験体回収時の試験体の検知処理が行われる。具体的には、回収口７の近傍に位置する携帯端末３により、回収口７から回収された試験体２が検知される。携帯端末の通信部３７は、試験体２の一部を構成する送受信機の通信部２５から発信される電波を検知する。電波が検知されると、携帯端末の制御部３１は、電波に含まれる試験体の識別情報を取得し、識別情報と回収時間とを関連付けて携帯端末のメモリ３３に記憶する。また、携帯端末の制御部３１は、識別情報と回収時間をネットワークＮを介して、他の携帯端末３（投入口８の近傍に位置する携帯端末３、詰まりが有ると判定された際に詰まり箇所の特定に用いる移動自在な携帯端末３）へ送信する。他の携帯端末３は、識別情報と回収時間を受信し、各携帯端末のメモリ３３に記憶する。
【００３７】
排水管の通水判定工程では、排水管６に詰まりが有るか否かが判定される。具体的には、携帯端末の制御部３１は、携帯端末のメモリ３３から、識別情報に関連付けられた投入時間と回収時間とを読み出し、投入時間と回収時間から、試験体２の投入から回収までの所要時間を算出する。また、携帯端末の制御部３１は、算出した所要時間と予め携帯端末のメモリ３３に記憶されている既定の所要時間とを比較し、排水管６の詰まりを判定する。ここで、図７は、第１実施形態に係る携帯端末のメモリに記憶されたテーブルの一例を示す。図７に示すテーブルでは、識別情報と既定の所要時間が関連付けられている。携帯端末の制御部３１は、テーブルにアクセスし、識別情報に対応する既定の所要時間を読み出し、算出した所要時間と比較する。算出した所要時間が既定の所要時間を上回った場合、携帯端末の制御部３１は、排水管６に詰まりが有ると判定し、判定結果を携帯端末の表示部３４に表示する。また、算出した所要時間が既定の所要時間以下の場合、携帯端末の制御部３１は、排水管６に詰まりが無いと判定し、判定結果を携帯端末の表示部３４に表示する。また、携帯端末の制御部３１は、投入時間から経過時間の計測を開始し、経過時間と既定の所要時間とを比較し、経過時間が既定の所要時間を上回ると、排水管６の詰まりが有ると判定し、判定結果を携帯端末の表示部３４に表示する。排水管６に詰まりが有るか否かの判定は、例えば回収口７の近傍にある携帯端末３で実行し、判定結果を他の携帯端末３へ送信するようにしてもよい。また、複数の携帯端末３の夫々で判定するようにしてもよい。
【００３８】
詰まり箇所の特定工程では、排水管６の詰まり箇所が特定される。具体的には、携帯端末の制御部３１は、携帯端末の通信部３７で検知した電波に基づいて試験体２を識別すると共に電波の強度に基づいて試験体２の位置を特定し、携帯端末の表示部３４に表示する。例えば、携帯端末の制御部３１は、検知した電波強度をＲＳＳＩ（Ｒｅｃｅｉｖｅｄ  Ｓｉｇｎａｌ  Ｓｔｒｅｎｇｔｈ  Ｉｎｄｉｃａｔｉｏｎ，  Ｒｅｃｅｉｖｅｄ  Ｓｉｇｎａｌ  Ｓｔｒｅｎｇｔｈ  Ｉｎｄｉｃａｔｏｒ）値で特定し、ＲＳＳＩ値を電波強度として携帯端末の表示部３４に表示する。なお、ＲＳＳＩ値を予め距離換算しておき、携帯端末３から試験体２までの距離を段階的に算出し、算出結果を携帯端末の表示部３４に表示するようにしてもよい。
【００３９】
図８は、第１実施形態に係る携帯端末の表示部に表示される試験体を特定する画面の一例を示す。図８に示す例では、電波強度とともに試験体２までの距離が表示されている。また、携帯端末の表示部３４には、携帯端末３と試験体２が表示されており、試験体２までの距離に応じて、携帯端末の表示部３４に表示された試験体２の位置も変化する。なお、携帯端末の制御部３１は、特定された試験体２の位置に応じて、携帯端末のスピーカ３８から音を出力させてもよい。
【００４０】
また、詰まり箇所の特定工程では、携帯端末の制御部３１は、試験者によって、試験体２から音を出力させるための指示を携帯端末の操作部３５を介して受け付け、送受信機のスピーカ２７から音を出力させるための信号を携帯端末の通信部３７を介して送信する。
試験体２の送受信機２１が音を出力させるための信号を受信すると、送受信機の制御部２２は、送受信機のメモリ２４に登録されたプログラムに従って、送受信機のスピーカ２７から音を出力する。
【００４１】
ここで、図９は、第１実施形態に係る携帯端末の表示部に表示される試験体から音を出力させる画面の一例を示す。図９に示す例では、試験体２を選択する試験体の選択ボタンと、送信ボタンが表示されている。試験体の選択ボタンは、ブルダウンメニューに表示される通信可能な試験体２から音を出す試験体２を選択する。送信ボタンは、選択した試験体２の送受信機に音を出力させるための信号を送信する。
【００４２】
＜効果＞
第１実施形態に係る通水試験システム１では、試験体２から発信される電波を携帯端末３で受信することで、携帯端末３により、電波に基づいて試験体２を識別すると共に、試験体の投入時間と回収時間から、試験体２の投入から回収までの所要時間を算出し、既定の所要時間と比較することで、排水管６の詰まりを判定することができる。また、排水管６に詰まりがあると判定された場合には、電波の強度に基づいて試験体２の位置を特定し、特定した携帯端末３の位置を表示部に表示することができる。そのため、排水管が詰まる可能性がある場所を容易に特定することができる。
【００４３】
また、第１実施形態に係る通水試験システム１では、複数の携帯端末３で、試験体の投入時間や回収時間が共有されている。また、いずれの携帯端末３においても、排水管６の詰まりの判定や、試験体２の位置の特定が可能である。したがって、通水試験における試験者の移動を最小限に抑えることができる。
【００４４】
＜第２実施形態＞
第２実施形態に係る通水試験システム１は、第１実施形態と同じく、試験体２、携帯端末３、管理端末４を備える。但し、携帯端末３は、試験体２の設定処理、試験体２の投入処理、試験体２の回収処理、試験体２の検知処理におけるリスト表示等の更なる機能を有する。これらの機能は、携帯端末のメモリ３３に登録されたプログラム（以下、携帯端末の試験体管理プログラムともいう）を実行することで実現される。また、管理端末４は、複数の携帯端末３から送信される、複数の試験体２の投入時間、回収時間、判定結果等を一括管理する。更に、管理端末４は、一の携帯端末３から送信された、複数の試験体２の投入時間、回収時間、判定結果等を、管理端末４を介して他の携帯端末３へ送信して、複数の携帯端末３で情報を共有する機能を有する。この機能は、管理端末のメモリ４３に登録されたプログラムを実行することで実現される。
【００４５】
なお、携帯端末の制御部３１は、ネットワークＮへの接続が不可であり、管理端末４と通信ができない場合には、所謂オフラインで使用することができる。この場合、携帯端末の制御部３１は、ネットワークＮへの接続後、試験体２の投入時間、回収時間、判定結果等について、管理端末４との間で送受信することができる。以下、具体的に説明する。
【００４６】
＜＜試験体の設定処理＞＞
試験体２の設定処理は、試験体２の投入工程前に行われる。携帯端末の制御部３１は、携帯端末の試験体管理プログラムを実行し、携帯端末の試験体管理プログラムを実行することで表示される画面等において試験体２の識別情報（データ）を入力するための設定画面が選択されると、携帯端末の表示部３４に識別情報（データ）を入力するための設定画面を表示し、携帯端末の操作部３５を介してデータの入力を受け付け、携帯端末のメモリ３３に記憶させる。なお、携帯端末のメモリ３３に記憶する情報は、携帯端末の記憶部３６に記憶してもよい。
【００４７】
ここで、図１０は、第２実施形態に係る携帯端末の表示部に表示される設定画面の一例を示す。第２実施形態に係る携帯端末３では、設定画面を通じて、試験体２の設定が可能である。設定画面には、試験体２の識別情報として、試験体番号、投入住戸番号、投入器具名称、色、投入布番号の項目が表示され、各項目のデータが入力可能である。試験体番号は、試験体を識別するもので、４桁の数字で構成されている。試験体番号は、試験体２の送受信機２１と携帯端末３とをペアリングすることで自動的に入力されるようにしてもよい。投入住戸番号は、試験体２が投入される住戸を識別するもので、３桁の部屋番号で構成されている。投入器具名称は、投入口８の一例であり、図１０では、ユニットバスが表示されている。色は、試験体２を識別するもので、図１０ではオレンジが表示されている。投入布番号は、布を識別するもので、大きさや素材によって区分されている。
【００４８】
携帯端末の制御部３１は、受け付けたデータを管理端末４に送信する。管理端末４は、受け付けたデータを管理端末の管理テーブルに記録する。ここで、図１１は、第２実施形態に係る管理端末４で管理される管理テーブルの一例を示す。管理テーブルは、管理端末の記憶部４８に格納され、試験体番号、投入住戸番号、投入器具名称、色、投入布番号の項目を含み、各項目のデータが記録できるようになっている。試験体番号、投入住戸番号、投入器具名称、色、投入布番号は、既に説明した通りであるので、説明を省略する。
【００４９】
なお、管理端末４で管理される管理テーブルには、更に、投入時間、回収時間、判定・備考の項目が含まれ、これらの各項目のデータが記録できるようになっている。これらの各項目のデータは、試験体２の投入工程後に記録される。投入時間は、試験体２の投入時間である。投入時間は、携帯端末３で入力を受け付けてもよく、また、試験体２から発信される電波を携帯端末３が検知した時間としてもよい。回収時間は、試験体２の回収時間である。回収時間は、携帯端末３で入力を受け付けてもよく、また、試験体２から発信される電波を携帯端末３が検知した時間としてもよい。判定・備考は、排水管６の詰まりの有無に関する判定結果、及び参考のために入力される事項である。なお、管理端末の管理テーブルに記録されているデータは、例えば、ＣＳＶ出力することができる。
【００５０】
なお、試験体２の設定処理は、管理端末４で行うようにしてもよい。例えば、管理端末の制御部４１は、管理端末の表示部３４に識別情報（データ）を入力するための設定画面を表示し、管理端末の操作部３５を介してデータの入力を受け付け、管理端末の記憶部４８に記憶させる。
【００５１】
＜＜投入処理＞＞
試験体２の投入処理は、試験体２の投入工程で行われる。第１実施形態では、携帯端末３が試験体２から発信される電波を検知して識別情報と投入時間とを関連付けて携帯端末のメモリ３３に記憶した。第２実施形態では、携帯端末の制御部３１は、携帯端末の試験体管理プログラムを実行し、携帯端末の試験体管理プログラムを実行することで表示される画面において試験体２の投入を管理する投入画面が選択されると、携帯端末の表示部３４に投入画面を表示し、投入画面に応じた各機能を実行する。例えば、携帯端末の制御部３１は、投入画面を介して、試験体２の投入の指示を受け付け、この指示に基づいて識別情報と投入時間とを関連付けて携帯端末のメモリ３３に記憶する。また、携帯端末の制御部３１は、識別情報と投入時間等のデータを管理端末４に送信する。管理端末４は、受け付けたデータを管理端末の管理テーブルに記録する。管理端末４は、一の携帯端末３から送信された、複数の試験体２の投入時間等を他の携帯端末３へ送信して、複数の携帯端末３で情報を共有する。なお、携帯端末３が試験体２から発信される電波を検知して識別情報と投入時間とを関連付けて携帯端末のメモリ３３に記憶してもよく、この場合、電波の強度に閾値を設け、閾値を上回った場合に、識別情報と投入時間とを関連付けて携帯端末のメモリ３３に記憶するとよい。
【００５２】
ここで、図１２は、第２実施形態に係る携帯端末の表示部に表示される投入画面の一例を示す。投入画面では、画面上部に、「投入タブ」と「回収タブ」が表示され、その下に、ストップウォッチの領域、具体的には、「ＴＩＭＥ  １１：１５．００」とスタート／ストップボタンにおけるストップボタンとして「■」が表示されている。「ＴＩＭＥ  １１：１５．００」は、スタートボタンが選択されてからの時間（例えば、１１分１５秒００）を表す。携帯端末の制御部３１は、スタートボタンが選択されると時間の計測を開始するとともに計測時間を表示する。また、携帯端末の制御部３１は、ストップボタンが選択されると時間の計測を終了するとともに計測時間を表示する。
【００５３】
「ＴＩＭＥ」の下には、「未投入」及び「投入済」の領域が設けられている。「未投入」の領域には、試験体２毎に未投入の場所が表示され、「投入済」の領域には、試験体２毎に投入済の場所が表示される。「未投入」の領域には、試験体２毎に、色（四角枠）、試験体番号（例えば、０００２）、投入住戸番号（例えば、３０１号室）、投入器具名称（例えば、ユニットバス）が表示され、更に「投入ボタン」が表示されている。
【００５４】
携帯端末の制御部３１は、管理端末４から「未投入」の領域に表示する試験体２、「投入済」の領域に表示する試験体２の情報を受信し、投入画面に表示する。「投入ボタン」が選択されると、対応する試験体２が投入済になる。具体的には、携帯端末の制御部３１は、「投入ボタン」が選択されると選択された際の時間を投入時間として携帯端末のメモリ３３に記憶し、管理端末４へ送信する。また、携帯端末の制御部３１は、「投入ボタン」が選択された試験体２を「投入済」の領域に表示する。
【００５５】
「投入済」の領域には、試験体２毎に、色（四角枠）、試験体番号（例えば、００３２）、投入住戸番号（例えば、５５５号室）、投入器具名称（例えば、ユニットバス）、投（投入時間）が表示されている。なお、図示では、省略するが、「投入済」の領域は、試験体２毎に左にスワイプ可能に構成されており、左にスワイプすると「取消ボタン」が表示される。表示された「取消ボタン」が選択されると、対応する試験体２が未投入になる。具体的には、携帯端末の制御部３１は、「取消ボタン」が選択されると、対応する試験体２を未投入の試験体２として携帯端末のメモリ３３に記憶し、管理端末４へ送信する。
【００５６】
＜＜回収処理＞＞
試験体２の投入処理は、試験体２の回収工程で行われる。第１実施形態では、携帯端末３が試験体２から発信される電波を検知して識別情報と投入時間とを関連付けて携帯端末のメモリ３３に記憶した。第２実施形態では、携帯端末の制御部３１は、携帯端末の試験体管理プログラムを実行し、携帯端末の試験体管理プログラムを実行することで表示される画面において試験体２の回収を管理する回収画面が選択されると、携帯端末の表示部３４に回収画面を表示し、回収画面に応じた各機能を実行する。例えば、携帯端末の制御部３１は、回収画面を介して、試験体２の回収の指示を受け付け、この指示に基づいて識別情報と回収時間とを関連付けて携帯端末のメモリ３３に記憶する。また、携帯端末の制御部３１は、識別情報と回収時間等のデータを管理端末４に送信する。管理端末４は、受け付けたデータを管理端末の管理テーブルに記録する。管理端末４は、一の携帯端末３から送信された、複数の試験体２の回収時間、判定結果等を他の携帯端末３へ送信して、複数の携帯端末３で情報を共有する。なお、携帯端末３が試験体２から発信される電波を検知して識別情報と回収時間とを関連付けて携帯端末のメモリ３３に記憶してもよく、この場合、電波の強度に閾値を設け、閾値を上回った場合に、識別情報と回収時間とを関連付けて携帯端末のメモリ３３に記憶するとよい。
【００５７】
ここで、図１３は、第２実施形態に係る携帯端末の表示部に表示される回収画面の一例を示す。回収画面では、画面上部に、「投入タブ」と「回収タブ」が表示され、その下に、ストップウォッチの領域、具体的には、「ＴＩＭＥ  １５：１５．００」と、スタート
／ストップボタンにおけるスタートボタンとして「△を右回りに９０度回転したマーク」と、時間をリセットするリセットボタンが表示されている。「ＴＩＭＥ  １１：１５．００」は、スタートボタンが選択されてからの時間（例えば、１５分１５秒００）を表す。携帯端末の制御部３１は、スタートボタンが選択されると時間の計測を開始するとともに計測時間を表示する。また、携帯端末の制御部３１は、ストップボタンが選択されると時間の計測を終了するとともに計測時間を表示する。更に、携帯端末の制御部３１は、リセットボタンが選択されると、計測時間を初期化する。ストップウォッチの領域に表示される「ＴＩＭＥ  １５：１５．００」も複数の携帯端末３で共有することができる。これにより、通水試験の開始時間、経過時間、終了時間を共有することができる。なお、誤作動を防止するため、ストップウォッチの領域に幼児されるスタート／ストップボタンは、投入口と回収口の夫々の携帯端末３のみが選択できるようにしてもよい。
【００５８】
「ＴＩＭＥ」の下には、「未回収」及び「回収済」の領域が設けられている。「未投入」の領域には、試験体２毎に未投入の場所が表示され、「投入済」の領域には、試験体２毎に投入済の場所が表示される。「未回収」の領域には、試験体２毎に、色（四角枠）、試験体番号（例えば、０００２）、投入住戸番号（例えば、３０１号室）が表示されている。
【００５９】
携帯端末の制御部３１は、管理端末４から「未回収」の領域に表示する試験体２、「回収済」の領域に表示する試験体２の情報を受信し、回収画面に表示する。携帯端末の制御部３１は、回収口７から回収される試験体２の電波を検知し、電波に含まれる試験体の識別情報を取得し、識別情報と回収時間とを関連付けて携帯端末のメモリ３３に記憶する。これにより、対応する試験体２が回収済となる。なお、携帯端末の制御部３１は、一定の電波強度（例えば、ＲＳＳＩ値）の場合のみ、試験体２を回収済とするようにしてもよい。これにより、携帯端末３から離れた位置にある試験体２を検知して、回収済とするような事態を回避できる。
【００６０】
また、「回収ボタン」が選択されると、対応する試験体２を回収済となる。この場合、携帯端末の制御部３１は、「回収ボタン」が選択されると選択された際の時間を回収時間として携帯端末のメモリ３３に記憶し、管理端末４へ送信する。また、携帯端末の制御部３１は、「回収ボタン」が選択された試験体２を「回収済」の領域に表示する。
【００６１】
「回収済」の領域には、試験体２毎に、色（四角枠）、試験体番号（例えば、００３２）、投入住戸番号（例えば、５５５号室）、投入器具名称（例えば、ユニットバス）、投（投入時間であり、例えば、０２：３１．００）、回（回収時間であり、例えば、０２：３８．００）が表示されている。なお、図示では、省略するが、「回収済」の領域は、試験体２毎に左にスワイプ可能に構成されており、左にスワイプすると「取消ボタン」が表示される。表示された「取消ボタン」が選択されると、対応する試験体２が未回収になる。具体的には、携帯端末の制御部３１は、「取消ボタン」が選択されると、対応する試験体２を未回収の試験体２として携帯端末のメモリ３３に記憶し、管理端末４へ送信する。
【００６２】
試験体２が回収済になると、携帯端末の制御部３１は、回収済の試験体２の投入時間と回収時間から、試験体２の投入から回収までの所要時間を算出し、算出した所要時間と予め携帯端末のメモリ３３に記憶されている既定の所要時間とを比較し、排水管６の詰まりを判定する。携帯端末の制御部３１は、判定結果を携帯端末のメモリ３３に記憶する。また、携帯端末の制御部３１は、判定結果を管理端末４に送信する。管理端末４は、受け付けたデータを管理端末の管理テーブルに記録する。なお、上記判定は、管理端末の制御部４１が実行してもよい。
【００６３】
＜＜試験体の検知処理＞＞
試験体２の検知処理は、詰まり箇所の特定工程で行われる。携帯端末の制御部３１は、携帯端末の試験体管理プログラムを実行し、携帯端末の試験体管理プログラムを実行することで表示される画面において、試験体２の検知リスト画面が選択されると、携帯端末の表示部３４に検知リスト画面を表示する。
【００６４】
ここで、図１４は、第２実施形態に係る携帯端末の表示部に表示される検知リスト画面の一例を示す。検知リスト画面では、画面上部に、試験体２を検索する「検索窓」が表示される。携帯端末の制御部３１は、携帯端末の通信部３７で検知した試験体２から、検索窓に入力された、色、試験体番号、投入住戸番号、投入器具名称、キーワード等に基づいて、試験体２を特定する。
【００６５】
また、検索窓の下には、電波強度が強い順に、試験体２が表示される。携帯端末の制御部３１は、携帯端末の通信部３７で検知した電波に基づいて試験体２を識別すると共に電波強度に基づいて試験体２を特定し、電波強度が強い試験体２から順に携帯端末の表示部３４に表示する。検知リスト画面では、試験体２を特定しやすいよう、試験体２毎に、色（四角枠）、試験体番号（例えば、０００２）、投入住戸番号（例えば、３０１号室）、投入器具名称（例えば、ユニットバス）が表示され、また、試験体２毎に選択可能となっている。
【００６６】
また、携帯端末の制御部３１は、試験体２が選択されると、携帯端末の表示部３４に、試験体２を特定する画面の一例としてのレーダー画面を表示する。図１５は、第２実施形態に係る携帯端末の表示部に表示される試験体を特定する画面（レーダー画面）の一例を示す。レーダー画面には、上部に、選択された試験体２の情報が表示されている。図１５の例では、試験体２を示す、色（四角枠）、試験体番号（例えば、０００２）、投入住戸番号（例えば、３０１号室）、投入器具名称（例えば、ユニットバス）が表示されている。試験体２の情報の下には、現在の電波強度と、電波強度推移が、夫々グラフと共に表示されている。
【００６７】
現在の電波強度は、特定された試験体２の現在の電波強度を縦棒グラフで表す。電波強度推移は、特定された試験体２の電波強度の推移を表す。例えば、携帯端末の制御部３１は、検知した電波強度をＲＳＳＩ値で特定し、ＲＳＳＩ値を現在の電波強度として携帯端末の表示部３４に表示する。また、携帯端末の制御部３１は、検知した電波強度をＲＳＳＩ値を携帯端末のメモリ３３に記憶しておき、電波強度の推移として、携帯端末の表示部３４に表示する。現在の電波強度と電波強度の推移を表示することで、携帯端末３と試験体２との距離が近づいているか否かをより容易に把握することができる。
【００６８】
＜効果＞
第２実施形態に係る通水試験システム１では、第１実施形態に係る通水試験システム１の効果に加えて、更に以下の効果を得ることができる。例えば、試験体２の設定処理を携帯端末の表示部３４に表示される設定画面を通じて容易に行うことができる。
【００６９】
また、投入画面を通じて、容易に、投入済の試験体２と未投入の試験体２とを把握することができる。また、投入時間は、電波強度に応じて自動で取得することに加えて、投入画面を通じて手動で取得することができる。また、回収画面を通じて、容易に、未回収の試験体２と回収済の試験体２とを把握することができる。また、回収時間は、電波強度に応じて自動で取得することに加えて、回収画面を通じて手動で取得することができる。
【００７０】
また、現在の電波強度と電波強度の推移を表示することで、携帯端末３と試験体２との距離が近づいているか否かをより容易に把握することができる。その結果、そのため、排水管が詰まる可能性がある場所をより容易に特定することができる。
【００７１】
＜変形例＞
携帯端末の制御部３１は、携帯端末の通信部３７が送受信機の通信部２５から発信した電波を検知すると、送受信機のスピーカ２７から音を出力させるようにしてもよい。これにより、試験者の指示が不要となる。
【００７２】
また、携帯端末の制御部３１は、電波の強度に応じて、送受信機のスピーカ２７から出力する音を変更するようにしてもよい。これにより、試験者は、音の違いにより、試験体２の位置を特定することが可能となる。そのため、排水管６が詰まる可能性がある場所をより容易に特定することができる。音の変更には、音の強弱による変更、音の種類による変更が含まれる。
【００７３】
また、携帯端末３は、ＧＰＳ（Ｇｌｏｂａｌ  Ｐｏｓｉｔｉｏｎｉｎｇ  Ｓｙｓｔｅｍ）受信部を更に備えるものでもよい。これにより、携帯端末３の位置情報の取得が可能となる。そのため、取得した携帯端末の位置情報に基づいて、試験体の位置情報を取得することが可能となる。その結果、地図上に試験体２を表示することが可能となる。また、例えば、建物の図面を予め携帯端末のメモリ３３に記憶させておくことで、建物の図面上に、試験体２を表示することが可能となる。したがって、より容易に試験体２の位置を確認することができる。
【００７４】
以上、本発明の好適な実施形態を説明したが、本発明は、可能な限り実施形態を組み合わせて実施することができる。
【符号の説明】
【００７５】
１・・・排水管の通水判定システム
２・・・試験体
３・・・携帯端末
４・・・管理端末
５・・・建物
６・・・配管
７・・・回収口
８・・・投入口
【要約】
【課題】排水管が詰まる可能性がある場所を容易に特定できる技術を提供する。
【解決手段】排水管の上流側から投入され、当該排水管の下流側で回収される試験体であって、当該試験体を識別する情報を含む試験体情報を有する試験体の記憶部と、試験体情報を含む電波を発信する試験体の通信部と、を含む試験体と、電波を検知する携帯端末であって、試験体の通信部から発信した電波を検知する携帯端末の通信部と、携帯端末の通信部で検知した電波に基づいて試験体を識別すると共に電波の強度に基づいて試験体の位置を特定し、当該携帯端末の表示部に表示する携帯端末の制御部と、を含む携帯端末と、を備える。
【選択図】図１【図１】
0005945625.tif 000002
【図２】
0005945625.tif 000003
【図３】
0005945625.tif 000004
【図４】
0005945625.tif 000005
【図５】
0005945625.tif 000006
【図６】
0005945625.tif 000007
【図７】
0005945625.tif 000008
【図８】
0005945625.tif 000009
【図９】
0005945625.tif 000010
【図１０】
0005945625.tif 000011
【図１１】
0005945625.tif 000012
【図１２】
0005945625.tif 000013
【図１３】
0005945625.tif 000014
【図１４】
0005945625.tif 000015
【図１５】
0005945625.tif 000016